(57)【要約】【課題】所望の編集処理が可能かつ最新の編集可能ファイルを容易に特定する。【解決手段】処理部２では入稿データファイルが示す複数のページのデータのそれぞれに対して印刷前の複数の処理を必要に応じて順次施すことにより、印刷直前の複数の最終処理済みページデータファイルが作成される。ファイル情報受付部３１では最終処理済みページデータファイルの作成途上に生成される各処理済みページデータファイル４２のファイル情報が受け付けられる。ファイル情報は当該処理済みページデータファイル４２に対応する、入稿データファイルにおける入稿ページ番号、ファイル識別情報および直前の処理種別を含む。テーブル作成部３２では各入稿ページ番号に対応する処理済みページデータファイル４２のうち、所望の編集処理が可能かつ最新の編集可能ファイルを入稿ページ番号に対応付けた編集可能ファイルテーブルが作成され、編集可能ファイルが容易に特定される。【選択図】図２
2011070442.tif 000002
【特許請求の範囲】
【請求項１】
少なくとも１つの入稿データファイルが示す複数のページのデータのそれぞれに対して、印刷前の複数の処理を必要に応じて順次施すことにより、印刷または製版直前の複数の最終処理済みページデータファイルを作成する処理システムにおいて、前記複数の最終処理済みページデータファイルの作成途上に生成される処理済みページデータファイルを管理するページデータファイル管理装置であって、
前記処理システムにおいて生成される各処理済みページデータファイルに対応する、前記少なくとも１つの入稿データファイルにおける入稿ページ番号または前記入稿ページ番号に関連する情報、ファイル識別情報、および、直前の処理種別を含むファイル情報を、前記処理システムから受け付けるファイル情報受付部と、
各入稿ページ番号に対応する処理済みページデータファイルのうち、所望の編集処理が可能かつ最新の編集可能ファイルを、前記入稿ページ番号または前記入稿ページ番号に関連する前記情報に対応付けた編集可能ファイルテーブルを作成するテーブル作成部と、
を備えることを特徴とするページデータファイル管理装置。
【請求項２】
請求項１に記載のページデータファイル管理装置であって、
前記入稿ページ番号に関連する前記情報が、印刷物におけるページ番号、または、多面付けされる印刷シートの各面に割り当てられた番号であることを特徴とするページデータファイル管理装置。
【請求項３】
請求項１または２に記載のページデータファイル管理装置であって、
前記テーブル作成部において、前記編集可能ファイルテーブルにて前記編集可能ファイルに対応付ける項目が、前記入稿ページ番号と、前記入稿ページ番号に関連する前記情報との間で切り替え可能であることを特徴とするページデータファイル管理装置。
【請求項４】
請求項１ないし３のいずれかに記載のページデータファイル管理装置であって、
前記テーブル作成部において、前記所望の編集処理に対応する最終の処理種別が変更可能であることを特徴とするページデータファイル管理装置。
【請求項５】
請求項１ないし４のいずれかに記載のページデータファイル管理装置であって、
前記編集可能ファイルテーブルが示す複数の編集可能ファイルを纏めて指定の記憶領域に記録させるファイル出力部をさらに備えることを特徴とするページデータファイル管理装置。
【請求項６】
少なくとも１つの入稿データファイルが示す複数のページのデータのそれぞれに対して、印刷前の複数の処理を必要に応じて順次施すことにより、印刷または製版直前の複数の最終処理済みページデータファイルを作成する処理システムにおいて、前記複数の最終処理済みページデータファイルの作成途上に生成される処理済みページデータファイルをコンピュータに管理させるプログラムであって、前記プログラムを前記コンピュータのＣＰＵがメモリにおいて実行することにより、前記コンピュータに、
ａ）前記処理システムにおいて生成される各処理済みページデータファイルに対応する、前記少なくとも１つの入稿データファイルにおける入稿ページ番号または前記入稿ページ番号に関連する情報、ファイル識別情報、および、直前の処理種別を含むファイル情報を、前記処理システムから受け付ける工程と、
ｂ）各入稿ページ番号に対応する処理済みページデータファイルのうち、所望の編集処理が可能かつ最新の編集可能ファイルを、前記入稿ページ番号または前記入稿ページ番号に関連する前記情報に対応付けた編集可能ファイルテーブルを作成する工程と、
を実行させることを特徴とするプログラム。
【請求項７】
請求項６に記載のプログラムであって、
前記入稿ページ番号に関連する前記情報が、印刷物におけるページ番号、または、多面付けされる印刷シートの各面に割り当てられた番号であることを特徴とするプログラム。
【請求項８】
請求項６または７に記載のプログラムであって、
前記ｂ）工程において、前記編集可能ファイルテーブルにて前記編集可能ファイルに対応付ける項目が、前記入稿ページ番号と、前記入稿ページ番号に関連する前記情報との間で切り替え可能であることを特徴とするプログラム。
【請求項９】
請求項６ないし８のいずれかに記載のプログラムであって、
前記ｂ）工程において、前記所望の編集処理に対応する最終の処理種別が変更可能であることを特徴とするプログラム。
【請求項１０】
請求項６ないし９のいずれかに記載のプログラムであって、前記プログラムの前記コンピュータによる実行は、前記コンピュータに、
前記編集可能ファイルテーブルが示す複数の編集可能ファイルを纏めて指定の記憶領域に記録させる工程をさらに実行させることを特徴とするプログラム。
【発明の詳細な説明】
【技術分野】
【０００１】
本発明は、印刷または製版直前の複数の最終処理済みページデータファイルの作成途上に生成される処理済みページデータファイルを管理する技術に関する。
【背景技術】
【０００２】
ＤＴＰ（Desktop publishing）の分野では、顧客から入稿されるＰＳ（ポストスクリプト（登録商標））やＰＤＦ（Portable Document Format）形式のデータファイルから印刷物を作成すること（当該データファイルに従って作製された刷版を用いた印刷物の作成を含む。）が行われている。具体的には、入稿されるデータファイルが示す複数のページのデータを複数のページデータファイルに変換する処理や、変換処理にて生成された各ページデータファイルに対するノセ処理、あるいは、文字のアウトライン処理等の複数の処理を順次行うことにより、印刷直前（または製版直前）の複数の最終処理済みページデータファイルが作成され、当該複数の最終処理済みページデータファイルを用いて印刷を行うことにより、印刷物が作成される。
【０００３】
なお、特許文献１では、複数のページデータからなるブックデータを印刷制御装置にてラスタライズ処理して印刷データを作成する印刷システムにおいて、ブックデータの全てをラスタライズ処理した後、修正を必要とする要修正ページデータが特定された際に、要修正ページデータを特定する情報を添付しつつ要修正ページデータを編集装置に送信し、続いて、要修正ページデータを編集した修正済ページデータを、要修正ページデータを特定する情報を添付しつつ印刷制御装置に送信することにより、修正済ページデータのみをラスタライズ処理するとともに、ラスタライズ処理が行われた修正済ページデータと印刷データの該当ページとの差し替えを確実に行う手法が開示されている。
【先行技術文献】
【特許文献】
【０００４】
【特許文献１】特開２００２−２９２９４２号公報
【発明の概要】
【発明が解決しようとする課題】
【０００５】
ところで、実際の印刷物の作成では、印刷の仕上がり見本であるカンプや、製本された見本である束見本を顧客が確認した後、必要に応じて各種修正（編集処理）が行われるが、この場合に、例えば、記載内容の修正を行う際には、最終処理済みページデータファイルでは文字のアウトライン処理が施されているため、文字データの修正が可能な最新のページデータファイル、すなわち、アウトライン処理の直前の処理にて生成されたページデータファイルを顧客に戻す必要がある。実際には、当該記載内容の修正に伴って他のページも修正が必要となる場合等を考慮して、全てのページのページデータファイルを顧客に戻すことが求められる。
【０００６】
しかしながら、アウトライン処理の直前の処理が、入稿データファイルの全てのページにて必ずしも同一ではないため（例えば、アウトライン処理の直前にノセ処理が行われる場合に、ノセ処理が施されないページがある。）、全てのページに対して、所望の編集処理が可能かつ最新の編集可能ファイルを特定することは容易ではない。また、顧客によっては、これらの編集可能ファイルを入稿データファイルのページ番号以外に、当該ページ番号に関連付けられた束見本のページ番号等に対応付けることを希望する場合があり、このような要望に応えるには、極めて煩雑な作業が必要となる。
【０００７】
本発明は上記課題に鑑みなされたものであり、入稿データファイルのページ番号または当該ページ番号に関連する情報に対応させつつ編集可能ファイルを容易に特定することを目的としている。
【課題を解決するための手段】
【０００８】
請求項１に記載の発明は、少なくとも１つの入稿データファイルが示す複数のページのデータのそれぞれに対して、印刷前の複数の処理を必要に応じて順次施すことにより、印刷または製版直前の複数の最終処理済みページデータファイルを作成する処理システムにおいて、前記複数の最終処理済みページデータファイルの作成途上に生成される処理済みページデータファイルを管理するページデータファイル管理装置であって、前記処理システムにおいて生成される各処理済みページデータファイルに対応する、前記少なくとも１つの入稿データファイルにおける入稿ページ番号または前記入稿ページ番号に関連する情報、ファイル識別情報、および、直前の処理種別を含むファイル情報を、前記処理システムから受け付けるファイル情報受付部と、各入稿ページ番号に対応する処理済みページデータファイルのうち、所望の編集処理が可能かつ最新の編集可能ファイルを、前記入稿ページ番号または前記入稿ページ番号に関連する前記情報に対応付けた編集可能ファイルテーブルを作成するテーブル作成部とを備える。
【０００９】
請求項２に記載の発明は、請求項１に記載のページデータファイル管理装置であって、前記入稿ページ番号に関連する前記情報が、印刷物におけるページ番号、または、多面付けされる印刷シートの各面に割り当てられた番号である。
【００１０】
請求項３に記載の発明は、請求項１または２に記載のページデータファイル管理装置であって、前記テーブル作成部において、前記編集可能ファイルテーブルにて前記編集可能ファイルに対応付ける項目が、前記入稿ページ番号と、前記入稿ページ番号に関連する前記情報との間で切り替え可能である。
【００１１】
請求項４に記載の発明は、請求項１ないし３のいずれかに記載のページデータファイル管理装置であって、前記テーブル作成部において、前記所望の編集処理に対応する最終の処理種別が変更可能である。
【００１２】
請求項５に記載の発明は、請求項１ないし４のいずれかに記載のページデータファイル管理装置であって、前記編集可能ファイルテーブルが示す複数の編集可能ファイルを纏めて指定の記憶領域に記録させるファイル出力部をさらに備える。
【００１３】
請求項６に記載の発明は、少なくとも１つの入稿データファイルが示す複数のページのデータのそれぞれに対して、印刷前の複数の処理を必要に応じて順次施すことにより、印刷または製版直前の複数の最終処理済みページデータファイルを作成する処理システムにおいて、前記複数の最終処理済みページデータファイルの作成途上に生成される処理済みページデータファイルをコンピュータに管理させるプログラムであって、前記プログラムを前記コンピュータのＣＰＵがメモリにおいて実行することにより、前記コンピュータに、ａ）前記処理システムにおいて生成される各処理済みページデータファイルに対応する、前記少なくとも１つの入稿データファイルにおける入稿ページ番号または前記入稿ページ番号に関連する情報、ファイル識別情報、および、直前の処理種別を含むファイル情報を、前記処理システムから受け付ける工程と、ｂ）各入稿ページ番号に対応する処理済みページデータファイルのうち、所望の編集処理が可能かつ最新の編集可能ファイルを、前記入稿ページ番号または前記入稿ページ番号に関連する前記情報に対応付けた編集可能ファイルテーブルを作成する工程とを実行させる。
【００１４】
請求項７に記載の発明は、請求項６に記載のプログラムであって、前記入稿ページ番号に関連する前記情報が、印刷物におけるページ番号、または、多面付けされる印刷シートの各面に割り当てられた番号である。
【００１５】
請求項８に記載の発明は、請求項６または７に記載のプログラムであって、前記ｂ）工程において、前記編集可能ファイルテーブルにて前記編集可能ファイルに対応付ける項目が、前記入稿ページ番号と、前記入稿ページ番号に関連する前記情報との間で切り替え可能である。
【００１６】
請求項９に記載の発明は、請求項６ないし８のいずれかに記載のプログラムであって、前記ｂ）工程において、前記所望の編集処理に対応する最終の処理種別が変更可能である。
【００１７】
請求項１０に記載の発明は、請求項６ないし９のいずれかに記載のプログラムであって、前記プログラムの前記コンピュータによる実行は、前記コンピュータに、前記編集可能ファイルテーブルが示す複数の編集可能ファイルを纏めて指定の記憶領域に記録させる工程をさらに実行させる。
【発明の効果】
【００１８】
本発明によれば、入稿ページ番号または入稿ページ番号に関連する情報に対応させつつ編集可能ファイルを容易に特定することができる。
【００１９】
また、請求項２および７の発明では、印刷物のページ番号、または、印刷用紙の各面に割り当てられた番号に対応する編集可能ファイルを容易に特定することができ、請求項４および９の発明では、様々な編集処理に対応する編集可能ファイルを容易に特定することができ、請求項５および１０の発明では、編集可能ファイルテーブルが示す複数の編集可能ファイルを容易に取得することができる。
【図面の簡単な説明】
【００２０】
【図１】印刷システムの構成を示す図である。
【図２】コンピュータが実現する機能構成を示すブロック図である。
【図３】印刷に係る動作の流れを示す図である。
【図４】参照テーブルを示す図である。
【図５】更新された参照テーブルを示す図である。
【図６】更新された参照テーブルを示す図である。
【図７．Ａ】更新された参照テーブルを示す図である。
【図７．Ｂ】更新された参照テーブルを示す図である。
【図８】最終処理済みページデータファイルを特定するテーブルを示す図である。
【図９】最終処理済みページデータファイルを特定するテーブルの他の例を示す図である。
【図１０】編集可能ファイルテーブルを示す図である。
【図１１】編集可能ファイルテーブルの他の例を示す図である。
【図１２】編集可能ファイルテーブルのさらに他の例を示す図である。
【発明を実施するための形態】
【００２１】
図１は本発明の一の実施の形態に係る印刷システム１の構成を示す図である。印刷システム１は、印刷用紙上に複数の色成分の画像を重ねて記録する印刷装置（画像記録装置とも呼ばれる。）１２、および、印刷装置１２に接続されるコンピュータ１０を有する。コンピュータ１０は、図１に示すように、各種演算処理を行うＣＰＵ１０１、基本プログラムを記憶するＲＯＭ１０２および各種情報を記憶するＲＡＭ１０３をバスラインに接続した一般的なコンピュータシステムの構成となっている。バスラインにはさらに、情報記憶を行う固定ディスク１０５、各種情報の表示を行うディスプレイ１０６、操作者からの入力を受け付けるキーボード１０７ａおよびマウス１０７ｂ、光ディスク、磁気ディスク、光磁気ディスク等のコンピュータ読み取り可能な記録媒体９１から情報の読み取りを行ったり記録媒体９１に情報の書き込みを行う読取／書込装置１０８、並びに、印刷装置１２と通信を行う通信部１０９が、適宜、インターフェイス（Ｉ／Ｆ）を介する等して接続される。
【００２２】
コンピュータ１０には、事前に読取／書込装置１０８を介して記録媒体９１からプログラム９２が読み出され、固定ディスク１０５に記憶される。そして、プログラム９２がＲＡＭ１０３にコピーされるとともにＣＰＵ１０１がＲＡＭ１０３内のプログラムに従って演算処理を実行することにより（すなわち、コンピュータがプログラムを実行することにより）、コンピュータ１０が、後述する複数の最終処理済みページデータファイルを作成する処理システムとしての処理を行う。複数の最終処理済みページデータファイルはラスタライズ処理が施された後、通信部１０９を介して印刷装置１２に転送され、印刷が行われる。
【００２３】
図２は、コンピュータ１０が実現する機能構成を示すブロック図である。図２の処理部２は、操作者により入力される入稿データファイル４１が示す複数のページのデータのそれぞれに対して各種処理を施して印刷直前の最終処理済みページデータファイル４２を作成し、ページデータファイル管理部３は、複数の最終処理済みページデータファイル４２の作成途上に生成される処理済みページデータファイル４２を管理する。また、記憶部４は、入稿データファイル４１および処理済みページデータファイル４２を記憶する。印刷システム１では、処理部２、ページデータファイル管理部３および記憶部４が、処理システム１１としてコンピュータ１０により実現される機能となっている。なお、処理システム１１の機能は専用の電気的回路により実現されてもよく、部分的に専用の電気的回路が用いられてもよい。
【００２４】
図３は、印刷システム１が行う印刷に係る動作の流れを示す図である。印刷システム１では、まず、最終成果物である１つの印刷物の作成に用いられる複数の入稿データファイル４１が通信部１０９等を介して図２の記憶部４に入力されて記憶される（ステップＳ１１）。複数の入稿データファイル４１は、例えば顧客から提供されるものである。各入稿データファイル４１は複数のページを含んでおり、処理部２では、入稿データファイル４１の各ページのデータを１つのページデータファイルに変換する処理（以下、「第１処理」ともいう。）が行われ、第１処理にて生成された各ページデータファイル（以下、「第１処理済みページデータファイル４２」という。以下同様。）は記憶部４にて記憶される（ステップＳ１２）。本実施の形態では、記憶部４にて「第１処理」という名称のデータフォルダ４３が作成され、データフォルダ４３内に、第１処理にて生成された全ての第１処理済みページデータファイル４２が保存される（後述の第２ないし第４処理において同様）。
【００２５】
また、各第１処理済みページデータファイル４２に関して、入稿データファイル４１におけるページ番号（以下、「入稿ページ番号」という。）、当該第１処理済みページデータファイル４２の名称（いわゆるファイル名であり、ここでは拡張子を含む。以下同様。）、および、直前の処理種別（処理の名称「第１処理」等の識別情報）を含むファイル情報が、処理部２からページデータファイル管理部３へと出力されてファイル情報受付部３１にて受け付けられる（ステップＳ１３）。
【００２６】
テーブル作成部３２では、第１処理にて生成された処理済みページデータファイル４２の名称が、入稿データファイル４１における入稿ページ番号および第１処理に対応付けられて図４に示す参照テーブルが生成される（ステップＳ１４）。図４では、最上段に「第１処理済みページデータファイル」と記す列に第１処理にて生成された処理済みページデータファイル４２の名称を示している。また、各入稿ページ番号は、印刷物（製本物）におけるいずれかのページ番号に予め割り当てられており（アサインされており）、図４に示す表では、最上段に「最終ページ番号」と記す列に印刷物におけるページ番号も示している（後述の図５、図６、図７．Ａおよび図７．Ｂにおいて同様）。
【００２７】
処理部２では、次の処理が行われることが確認されると（ステップＳ１５）、カラーの第１処理済みページデータファイル４２に対してノセ処理（複数の色を部分的に重ねる処理であり、以下、「第２処理」ともいう。）が施され、ノセ処理にて生成された処理済みページデータファイル４２（すなわち、第２処理済みページデータファイル４２）が記憶部４にて記憶されるとともに（ステップＳ１２）、入稿データファイル４１の入稿ページ番号、第２処理済みページデータファイル４２の名称、および、直前の処理種別を含むファイル情報が、ファイル情報受付部３１へと出力される（ステップＳ１３）。そして、第２処理済みページデータファイル４２の名称が、入稿データファイル４１における入稿ページ番号および第２処理に対応付けられて、図５に示すように参照テーブルが更新される（ステップＳ１４）。
【００２８】
なお、入稿データファイル「ａ．ｐｄｆ」における入稿ページ番号１のページのデータ、および、入稿データファイル「ｃ．ｐｄｆ」における入稿ページ番号１のページのデータ（または、第１処理済みページデータファイル「ａ．ｐｄｆ．１．ｐｄｆ」および「ｃ．ｐｄｆ．１．ｐｄｆ」）では、一の色のみが用いられるため、ノセ処理である第２処理は省略されており、これらのページのデータに対応する第２処理済みページデータファイル４２は生成されない。図５では「−−−」を記して第２処理済みページデータファイル４２の不存在を示している（後述の図６、図７．Ａおよび図７．Ｂにおいて同様）。
【００２９】
処理部２では、さらに、各第２処理済みページデータファイル４２に対して文字のアウトライン処理（文字データを図形データに変換する処理であり、以下、「第３処理」ともいう。）が施され、第３処理済みページデータファイル４２は記憶部４にて記憶される（ステップＳ１５，Ｓ１２）。また、第３処理に伴うファイル情報がファイル情報受付部３１にて受け付けられることにより、図６に示すように参照テーブルが更新される（ステップＳ１３，Ｓ１４）。なお、文字のアウトライン処理は文字データを含む第２処理済みページデータファイル４２である「ａ．ｐｄｆ．２．１．ｐｄｆ」、「ａ．ｐｄｆ．４．１．ｐｄｆ」、「ａ．ｐｄｆ．７．１．ｐｄｆ」、「ｂ．ｐｄｆ．２．１．ｐｄｆ」、「ｂ．ｐｄｆ．５．１．ｐｄｆ」、「ｂ．ｐｄｆ．９．１．ｐｄｆ」、「ｂ．ｐｄｆ．１３．１．ｐｄｆ」、「ｃ．ｐｄｆ．２．１．ｐｄｆ」、「ｃ．ｐｄｆ．４．１．ｐｄｆ」および「ｃ．ｐｄｆ．７．１．ｐｄｆ」に対してのみ行われる。
【００３０】
その後、アウトライン処理にて生成された第３処理済みページデータファイル４２のうち「ａ．ｐｄｆ．２．２．ｐｄｆ」、「ｂ．ｐｄｆ．９．２．ｐｄｆ」および「ｃ．ｐｄｆ．２．２．ｐｄｆ」に対してのみ所定の第４処理が施され、第４処理済みページデータファイル４２が記憶部４にて記憶される（ステップＳ１５，Ｓ１２）。また、第４処理に伴うファイル情報がファイル情報受付部３１にて受け付けられることにより、図７．Ａおよび図７．Ｂに示すように参照テーブルが更新される（ステップＳ１３，Ｓ１４）。なお、図７．Ａおよび図７．Ｂの表を上下に結合したものが、１つの参照テーブルとなっている。
【００３１】
図７．Ａおよび図７．Ｂの例では、一部の第３処理済みページデータファイルに対してのみ第４処理が施されているが、第４処理の内容によっては、第３処理が行われなかった入稿データファイルの入稿ページ番号に対応する最新の処理済みページデータファイル（例えば、入稿データファイル「ａ．ｐｄｆ」の入稿ページ番号１の第１処理済みページデータファイル「ａ．ｐｄｆ．１．ｐｄｆ」や、入稿データファイル「ａ．ｐｄｆ」の入稿ページ番号３の第２処理済みページデータファイル「ａ．ｐｄｆ．３．１．ｐｄｆ」）に対して第４処理が施されてもよい（第３処理において同様）。
【００３２】
本実施の形態では、第４処理が処理部２における最終処理となっており、入稿データファイル４１の各入稿ページ番号に対応する処理済みページデータファイル４２のうち最新の処理済みページデータファイル４２（すなわち、最後に生成された処理済みページデータファイル４２）が、後述の印刷に用いられる最終処理済みページデータファイル４２として図８に示すように特定される。実際には、入稿データファイル４１における余分な情報（コメント等）の削除や、下地と同色の文字に特定の色の縁を付加する処理等、多数の処理を行うことにより、最終処理済みページデータファイル４２が作成される。
【００３３】
以上のように、処理システム１１では、複数の入稿データファイル４１が示す複数のページのデータのそれぞれに対して、印刷前の複数の処理を必要に応じて順次施すことにより、印刷直前の複数の最終処理済みページデータファイル４２が作成される。なお、最終処理済みページデータファイル４２は、図９に示すように印刷物の最終ページ番号に対応付けられてもよい。
【００３４】
最終処理済みページデータファイル４２が作成されると（ステップＳ１５）、最終処理済みページデータファイル４２が、図示省略のラスタライズ処理部にてラスタライズ処理されて印刷装置１２に出力される（ステップＳ１６）。そして、ラスタライズ処理直後の複数の最終処理済みページデータファイルに従って印刷用紙に画像が印刷される（ステップＳ１７）。
【００３５】
印刷用紙への印刷では、入稿データファイル４１における複数のページ（全てのページではなく、例えば、８ページ）が１枚の印刷用紙の各面に割り当てられており（すなわち、多面付けされており）、印刷済みの印刷用紙は折り機へと搬送され、各印刷用紙の折り処理が行われて折丁が作成される。複数の折丁は重ねられた後に綴じられ、裁断が行われて印刷物である束見本が作製される。
【００３６】
束見本は顧客にて確認され、例えば、記載内容の修正（誤字の修正を含む。）が必要である旨の顧客からの連絡を操作者が受けた場合には、文字データの編集処理が可能な最終の処理種別を特定する入力が行われ、当該入力がテーブル作成部３２にて受け付けられる（ステップＳ１８）。具体的には、文字データの編集処理が不能となる第３処理（文字のアウトライン処理）の直前の第２処理（ノセ処理）が、顧客が所望する編集処理に対応する最終の処理種別とされて、第２処理を特定する入力が行われる。そして、入稿データファイル４１の各入稿ページ番号に対して、第２処理、および、第２処理よりも前の処理にて生成された処理済みページデータファイル４２のうち最新の処理済みページデータファイル４２が編集可能ファイルとして特定される（ステップＳ１９）。すなわち、入稿データファイル４１の各入稿ページ番号に対して、第２処理が行われている場合には第２処理済みページデータファイル４２が編集可能ファイルとなり、第２処理が行われていない場合には第１処理済みページデータファイル４２が編集可能ファイルとなる。なお、仮に、第３処理が最終の処理種別として特定される場合には、入稿データファイル４１の各入稿ページ番号に対して第１ないし第３処理にて生成された処理済みページデータファイル４２のうち最新のものが編集可能ファイルとされる。
【００３７】
また、後述の編集可能ファイルテーブルにおいて編集可能ファイルに対応付ける項目を選択する入力が行われ、テーブル作成部３２にて受け付けられる（ステップＳ２０）。本実施の形態では、入稿データファイル４１の入稿ページ番号、および、印刷物におけるページ番号のいずれかがキー項目として選択される。そして、入稿データファイル４１の入稿ページ番号が選択された場合には、図１０に示すように、編集可能ファイル（の名称）を入稿データファイル４１の入稿ページ番号に対応付けたテーブルが編集可能ファイルテーブルとして作成される。また、印刷物におけるページ番号が選択された場合には、図１１に示すように、編集可能ファイルを束見本におけるページ番号（すなわち、最終ページ番号）に対応付けたテーブルが編集可能ファイルテーブルとして作成される（ステップＳ２１）。
【００３８】
編集可能ファイルテーブルが作成されると、ファイル出力部３３により、編集可能ファイルテーブルが示す複数（全て）の編集可能ファイルが記憶部４内にて検索され、ファイル出力部３３の制御により、これらの編集可能ファイルが、編集可能ファイルテーブルと共に予め指定された記録媒体９１内の記憶領域に記録される（ステップＳ２２）。実際には、入稿データファイル４１の入稿ページ番号がキー項目として選択された場合には、各入稿データファイル４１と同じ名称のデータフォルダが当該記憶領域内に作成され、当該入稿データファイル４１に対応する編集可能ファイルが当該データフォルダ内に保存される。また、印刷物におけるページ番号がキー項目として選択された場合には、各ページ番号と同じ名称のデータフォルダが当該記憶領域内に作成され、当該ページ番号に対応する編集可能ファイルが当該データフォルダ内に保存される。なお、入稿ページ番号がキー項目とされる場合に、入稿データファイル４１の名称と各入稿ページ番号とを繋げた名称のデータフォルダが作成され、入稿データファイル４１の当該入稿ページ番号に対応する編集可能ファイルが当該データフォルダ内に保存されてもよい。
【００３９】
編集可能ファイルが記録された記録媒体９１は顧客に提供され、顧客において、編集可能ファイルに対して必要な編集処理が行われる。その後、編集処理が行われた編集可能ファイルが元の処理済みページデータファイルと差し替えられ、上記ステップＳ１２〜Ｓ１５と同様に、第３処理および第４処理が必要に応じて施されて最終処理済みページデータファイルが再度作成される。そして、上記ステップＳ１６，Ｓ１７と同様に、最終処理済みページデータファイルに従って印刷が行われて印刷物が作成される。顧客における印刷物の確認後、必要に応じて上記ステップＳ１８〜Ｓ２２と同様に編集可能ファイルテーブルの作成、および、編集可能ファイルの出力が行われる。以上のように、上記ステップＳ１２〜Ｓ２２の処理を必要に応じて繰り返すことにより、最終的な印刷物が作成される。図３では、ステップＳ２２の後にステップＳ１２に戻る処理の図示を省略している。
【００４０】
以上の説明では、文字データの編集処理が必要な場合における編集可能ファイルテーブルの作成について述べたが、例えば、処理部２における印刷前の処理が印刷装置１２固有の色調整の処理、あるいは、特色の擬似色化（すなわち、印刷装置１２が有するインクの色成分での特色の表現）に係る色調整の処理等を含む場合において、顧客にて色の編集処理を行うときに、当該色調整の処理よりも前に生成される処理済みページデータファイル４２のうち最新の処理済みページデータファイル４２が色の編集処理の対象である編集可能ファイルとして特定されて、編集可能ファイルテーブルが作成されてもよい。
【００４１】
ところで、図２のページデータファイル管理部３を有していない比較例の処理システムを想定した場合に、上記のように、処理部２における各処理にて生成された複数の処理済みページデータファイル４２を１つのデータフォルダ４３内にて管理するときには、操作者が、所望の編集処理が可能な最終の処理、および、当該処理よりも前に行われた処理に対応するデータフォルダ４３を所定のファイルマネージャを用いて順に参照して、各入稿ページ番号に対応する編集可能ファイルを手作業で特定する必要がある。しかしながら、このような作業は極めて煩雑であるとともに、誤った処理済みページデータファイル４２が編集可能ファイルとして特定される可能性がある。また、編集可能ファイルを印刷物のページ番号（最終ページ番号）に対応付ける場合には、より煩雑な作業を要してしまい、特に、中綴じにて製本を行うときには、最終ページ番号は入稿データファイル４１の入稿ページ番号の順序と大幅に相違するため、編集可能ファイルと印刷物のページ番号との対応付けは極めて困難となる。さらに、印刷前の各処理に用いるアプリケーションソフトウェアによっては、処理済みページデータファイル４２が独自の名称にリネームされて記憶部４に格納されるため、入稿データファイル４１と処理済みページデータファイル４２との判別ですら容易ではない場合がある。
【００４２】
これに対し、ページデータファイル管理部３では、処理システム１１にて処理済みページデータファイル４２が生成される毎に、入稿データファイル４１における入稿ページ番号、当該処理済みページデータファイル４２の名称、および、直前の処理種別を含むファイル情報が受け付けられる。そして、各入稿ページ番号に対応する処理済みページデータファイル４２のうち、所望の編集処理が可能かつ最新の編集可能ファイルが特定されるとともに、編集可能ファイルを入稿ページ番号、または、印刷物におけるページ番号に対応付けた編集可能ファイルテーブルが作成される。これにより、顧客に戻すべき編集可能ファイルを入稿ページ番号または印刷物におけるページ番号に対応させつつ容易に（すなわち、操作者が煩雑な作業を行うことなく）、かつ、確実に特定することができる。
【００４３】
また、ページデータファイル管理部３では、編集可能ファイルテーブルにて編集可能ファイルに対応付ける項目（キー項目）が、入稿ページ番号と、印刷物におけるページ番号との間で切り替え可能であることにより、キー項目に関する顧客の要望に応じた編集可能ファイルテーブルを容易に取得することができる。
【００４４】
テーブル作成部３２では、参照テーブルを作成することにより、入稿データファイル４１の各入稿ページ番号に対して順次生成される処理済みページデータファイル４２の名称が、対応する処理種別に関連付けて記憶され（すなわち、処理済みページデータファイル４２の世代管理が行われ）、編集可能ファイルテーブルを生成する際に、顧客が所望する編集処理に応じて最終の処理種別を決定することができる。このように、編集可能ファイルを特定する際の最終の処理種別が変更可能とされることにより、様々な編集処理に対応する編集可能ファイルを容易に特定することができる。
【００４５】
さらに、ファイル出力部３３が、編集可能ファイルテーブルが示す複数の編集可能ファイルを纏めて指定の記憶領域に記録させることにより、複数の編集可能ファイルを容易に取得することができる。
【００４６】
上記処理例では、顧客により束見本が確認されるが、例えば、印刷の仕上がり見本であるカンプ（すなわち、多面付けされた印刷用紙）が顧客により確認されてもよい。この場合、図３のステップＳ２０の処理にて入稿データファイル４１の入稿ページ番号、および、多面付けされる印刷用紙の各面に割り当てられた番号（以下、「面割当番号」という。）のいずれかがキー項目として選択される。ここで、入稿ページ番号は、面割当番号に予め対応付けられており、面割当番号が選択された場合には、図１２に示すように、編集可能ファイルを面割当番号に対応付けたテーブルが編集可能ファイルテーブルとして作成される（ステップＳ２１）。そして、編集可能ファイルテーブルが示す複数の編集可能ファイルが指定の記憶領域に記憶される（ステップＳ２２）。このとき、各面割当番号と同じ名称のデータフォルダが当該記憶領域内に作成され、当該面割当番号に対応する編集可能ファイルが当該データフォルダ内に保存される。なお、図１２では、最上段に「最終ページ番号」と記す列に印刷物におけるページ番号も示している。
【００４７】
以上のように、テーブル作成部３２では、入稿ページ番号以外に、印刷物におけるページ番号、または、多面付けされる印刷用紙の各面に割り当てられた番号のように入稿ページ番号に関連する情報をキー項目として編集可能ファイルテーブルを作成することができ、印刷物におけるページ番号、または、多面付けされる印刷用紙の各面に割り当てられた番号等の入稿ページ番号に関連する情報に対応する編集可能ファイルを容易に特定することができる。
【００４８】
以上、本発明の実施の形態について説明してきたが、本発明は上記実施の形態に限定されるものではなく、様々な変形が可能である。
【００４９】
上記実施の形態では、各処理にて生成される処理済みページデータファイル４２の名称を、入稿データファイル４１における入稿ページ番号（および、印刷物におけるページ番号（最終ページ番号））に対応付けた参照テーブルが作成されるが、処理済みページデータファイル４２の名称を、入稿ページ番号に関連する情報のみに対応付けた参照テーブルが作成されてもよく、この場合、入稿データファイル４１における入稿ページ番号に代えて、入稿ページ番号に関連する情報が、ファイル情報受付部３１にて受け付けられるファイル情報に含められる。また、処理済みページデータファイル４２の名称に代えて、処理済みページデータファイル４２の作成日時等、各処理済みページデータファイル４２にアクセス可能な他のファイル識別情報が用いられてもよい。
【００５０】
以上のように、処理部２において生成される各処理済みページデータファイル４２に対して、入稿データファイル４１における入稿ページ番号または入稿ページ番号に関連する情報、当該処理済みページデータファイル４２を識別するためのファイル識別情報、および、直前の処理種別（すなわち、当該処理済みページデータファイル４２の生成時の処理種別）を含むファイル情報が、処理部２から出力されてファイル情報受付部３１にて受け付けられることにより、参照テーブルおよび編集可能ファイルテーブルの作成が可能となる。なお、処理済みページデータファイル４２の名称（拡張子を除く。）が入稿データファイル４１の入稿ページ番号を示し、拡張子が処理種別を示す場合には、拡張子を含むファイル名がページデータファイル管理部３に入力されることにより、入稿ページ番号、ファイル識別情報および処理種別の全ての情報が入力されることとなる。
【００５１】
上記実施の形態では、ラスタライズ処理直前のデータファイルが最終処理済みページデータファイル４２とされるが、ラスタライズ処理直後のデータファイルが最終処理済みページデータファイルとされてもよい。また、処理済みページデータファイル４２の管理を容易に行うという観点では、処理済みページデータファイル４２が入稿データファイル４１の１つのページに対応することが好ましいが、処理システム１１の設計によっては、処理済みページデータファイル４２が入稿データファイル４１の複数のページに対応していてもよい。
【００５２】
印刷システム１では、有版印刷が行われてもよく、この場合、最終処理済みページデータファイル４２を用いて印刷用の刷版が作成される。また、上記実施の形態では、複数の入稿データファイル４１から１つの印刷物が作成されるが、１つの入稿データファイル４１に印刷物の全てのページに対応するデータが含められてもよい。以上のように、処理システム１１では、少なくとも１つの入稿データファイル４１が示す複数のページのデータのそれぞれに対して、印刷前の複数の処理を必要に応じて順次施すことにより、印刷または製版直前の複数の最終処理済みページデータファイル４２が作成される。
【００５３】
ページデータファイル管理装置であるページデータファイル管理部３において、所望の編集処理が予め定められていてもよく、この場合、参照テーブルを作成することなく、編集可能ファイルを入稿ページ番号または入稿ページ番号に関連する情報に対応付けた編集可能ファイルテーブルを直接的に作成することが可能である。また、ページデータファイル管理部３の機能は、処理部２を有する処理システムとは独立した装置にて実現されてもよい。
【００５４】
印刷システム１における印刷媒体は、印刷用紙以外の印刷シート（例えば、プラスチックフィルム等）であってもよい。
【００５５】
上記実施の形態および各変形例における構成は、相互に矛盾しない限り適宜組み合わせられてよい。
【符号の説明】
【００５６】
３    ページデータファイル管理部
１０    コンピュータ
１１    処理システム
３１    ファイル情報受付部
３２    テーブル作成部
３３    ファイル出力部
４１    入稿データファイル
４２    処理済みページデータファイル
９２    プログラム
１０１    ＣＰＵ
１０３    ＲＡＭ
Ｓ１３，Ｓ２１，Ｓ２２    ステップ
【図１】
2011070442.tif 000003
【図２】
2011070442.tif 000004
【図３】
2011070442.tif 000005
【図４】
2011070442.tif 000006
【図５】
2011070442.tif 000007
【図６】
2011070442.tif 000008
【図７．Ａ】
2011070442.tif 000009
【図７．Ｂ】
2011070442.tif 000010
【図８】
2011070442.tif 000011
【図９】
2011070442.tif 000012
【図１０】
2011070442.tif 000013
【図１１】
2011070442.tif 000014
【図１２】
2011070442.tif 000015